Podtech/llm-jp-corpus-v4-ja_patent huggingface dataset:
(57)【要約】【課題】  本発明は、複数人が同時に同一のポータブルオーディオより、外部の雑音にさいなまれることなく音楽あるいは音声を一緒に聴けるポータブルオーディオを提供する。【解決手段】  複数人分のイヤフォンあるいはヘッドフォンがポータブルオーディオに接続できるように、ポータブルオーディオにイヤフォン並びにヘッドフォン接続用の端子が複数備わっている構成にすることにより、複数人が同時に同一のポータブルオーディオより、外部の雑音にさいなまれることなく音楽あるいは音声を聴けるようにした。【選択図】  なし【特許請求の範囲】
【請求項１】
複数人分のイヤフォンあるいはヘッドフォン用端子が備わっているポータブルオーディオ。
【発明の詳細な説明】
【技術分野】
【０００１】
本発明は、ひとつのポータブルオーディオより音楽並びに音声を複数人で聴くことが可能なポータブルオーディオに関するものである。
【背景技術】
【０００２】
音楽再生あるいは音声再生機能を有する小型の携帯型電子機器すなわちポータブルオーディオが出現してきた。ハードディスク搭載型音楽再生装置であるｉＰＯＤ（アップル社製）やネットワークウォークマン（Sony社製）並びにメモリー搭載型音楽再生装置であるｉＰＯＤ  ｓｈｕｆｆｌｅ（アップル社製）やメモリー搭載ネットワークウォークマン（Sony社製）は、上記のポータブルオーディオの代表例である。さらに、音楽再生装置が付随している携帯電話も上記のポータブルオーディオの代表例である。
【０００３】
これらのポータブルオーディオは、一人用である。従って、カップルが同じ曲を聴くことは、基本的には不可能であった。あえて、同一のポータブルオーディオより二人で音楽あるいは音声を聞く場合には、イヤフォンのひとつずつを二人の片側の耳に装着させて、音楽あるいは音声を聞く必要があった。この場合には、片側の耳で、音楽あるいは音声を聞くために、ステレオ効果の音楽の音質が損なわれ、さらに、イヤフォンを装着していない他方の耳より、外部騒音が入ってくるために、二人が同時に良質な音楽を聞くことは不可能であった。さらには、３人以上で、同一のポータブルオーディオよりイヤフォンを用いて、音楽あるいは音声を聞くことは不可能であった。
【発明の開示】
【発明が解決しようとする課題】
【０００４】
前記の現状に鑑み、従来の技術が解決できなかった種々の問題を解決し、ポータブルオーディオより複数人が音楽あるいは音声を聞けるように、イヤフォンあるいはヘッドフォン用端子を複数人分装着させることにより、ひとつのポータブルオーディオより複数人が同時に、音楽あるいは音声を聞けるポータブルオーディオを提供することである。
【課題を解決するための手段】
【０００５】
上記目的を達成するために本発明が採用した方法は、イヤフォンあるいはヘッドフォン用端子を複数人分ポータブルオーディオに付けた構成であることを特徴とするものである。
【発明の効果】
【０００６】
本発明は、複数人が同時に同一のポータブルオーディオより音楽あるいは音声を、外部の雑音にさいなまれることなく聴けることが可能になった。
(57)【要約】【課題】画像スキャナーのスキャニング・モジュールを提供する。【解決手段】本発明は、画像スキャナーのスキャニング・モジュールに関する。このスキャニング・モジュールは、複数の反射ミラーを含む。この複数の反射ミラーの一つの位置を二つのねじにより調整することにより、当該反射ミラーの反射角度を調整することができる。【選択図】図1
2007097109.tif 000002
【特許請求の範囲】
【請求項１】
画像スキャナーに用いられ、文書の画像信号を生成し、画像センサ、レンズ及び複数の反射ミラーを格納する長方形の筐体を有するスキャニング・モジュールであって、
前記筐体内に設けられ、前記複数の反射ミラーの一つを固定する二つのフックと、
それぞれ前記筐体の側壁の両端に設けられる二つのねじ穴と、
それぞれ前記二つのねじ穴を通過し、前記二つのフックと接触する二つのねじと、
を有する、
スキャニング・モジュール。
【請求項２】
前記二つのフックは、前記筐体と一体化される、
請求項１に記載のスキャニング・モジュール。
【発明の詳細な説明】
【技術分野】
【０００１】
本発明は、スキャニング・モジュールに関し、特に、ミラーの反射角度を調整するねじ穴を有するスキャニング・モジュールに関する。
【背景技術】
【０００２】
ユーザの要求を満たすために、画像の質に加えて、如何に画像スキャナーのサイズを減少するかは、重要な技術課題となっている。
【０００３】
一般的に、画像スキャナーは、スキャニング・モジュール、PCボード及びこのスキャニング・モジュールを駆動する伝動機構を含む。これらの構成ユニットのうち、スキャニング・モジュールは、画像スキャナーの内部空間の大部分を占める。よって、スキャニング・モジュールを薄くし、スキャナーのサイズを減少することが望ましい。
【０００４】
スキャニング・モジュールは、スキャナーの全ての光学要素を含み、具体的に、ライトチューブ、画像センサ（例えば、CCD画像センサ（Charge Coupled Device：CCD））、レンズ及び反射ミラーを含む。文書に投射された光束は、複数のミラーによりレンズと画像センサに反射される。
【０００５】
従来技術において、反射ミラーは、フックによりスキャニング・モジュールに固定され、フックは、プラスチック材料であり、スキャニング・モジュールの筐体と一体化される。なお、画像スキャナーを製造する際に、フックの位置誤差が生じ、ミラーの正しい反射角度に影響を与える可能性がある。
【０００６】
大きな体積を有するスキャナーに対して、反射角度の影響は、光学経路の誤差を余り生じさせないものの、薄いスキャニング・モジュールを有するスキャナーに対して、反射角度の小さな誤差があっても、光学経路に回復不能な誤差を生じさせる。
【０００７】
ゆえに、反射ミラーの反射角度を調整できるスキャニング・モジュールを提供することが望ましい。
【発明の開示】
【発明が解決しようとする課題】
【０００８】
本発明の目的は、反射ミラーの反射角度を調整する調整機構を有するスキャニング・モジュールを提供することにある。
【課題を解決するための手段】
【０００９】
前述の目的を達成するために、本発明は、画像スキャナーに使用され、文書の画像信号を生成し、画像センサ、レンズ及び複数の反射ミラーを格納する長方形の筐体を有するスキャニング・モジュールを提供する。このスキャニング・モジュールは、筐体内に設けられ、複数の反射ミラーの一つを固定する二つのフックと、それぞれ筐体のより長い側壁の両端に設けられる二つのねじ穴と、それぞれ二つのねじ穴を通過し、二つのフックと接触する二つのねじとを更に有する。
【００１０】
好適な実施形態において、フックは、筐体と一体化される。
【発明の効果】
【００１１】
本発明は、反射ミラーの反射角度を調整する調整機構を有するスキャニング・モジュールを提供する。
【発明を実施するための最良の形態】
【００１２】
次に、添付した図面を参照しながら、本発明の好適な実施形態を詳細に説明する。
【００１３】
図１から図３は、それぞれ本発明のスキャニング・モジュールの斜視図、側面図及び上面図である。図１は、より長い側壁１０１を有する長方形の筐体１００と、フック２００と、反射ミラー３００と、ねじ４００とを含むスキャニング・モジュール１０００を示す。図２は、ねじ穴１０２を示す。
【００１４】
なお、図１から図３は、本発明に係る要素のみを示し、従来の画像センサとレンズを示さない。また、もう一つのねじ穴ともう一つのねじは、長い側壁１０１の他端に設置されるものの、簡素するために、一つのねじ穴と一つのねじのみは、これらの図に表示される。
【００１５】
図１に示すように、反射ミラー３００は、筐体１００内において、長い側壁１０１に接近するように固定される。また、二つのねじ穴１０２は、それぞれ長い側壁１０１の両端に設けられ、ねじ４００は、ねじ穴１０２を通過し、フック２００と接触する。
【００１６】
ミラー３００がフック２００に保持される場合、図１に示すように、ミラー３００により反射される実際の光学経路Bは、正しい光学経路Aの方向と一致しない。この場合、製造プロセスにおいて、ねじ４００を回転し、フック２００を小さな距離だけ移動することにより、ミラー３００の反射角度を調整することができるので、図２に示すように、実際の光学経路Bは、正しい光学経路Aの方向に向うように調整することができる。
【００１７】
実際の光学経路Bを測定し、正しい光学経路Aと一致することを確認できる。その後、接着剤をねじ穴に入れ、ねじを固定する。
【００１８】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００１９】
【図１】本発明の好適な実施形態に係るスキャニング・モジュールの斜視図である。
【図２】図１のスキャニング・モジュールの側面図である。
【図３】図１のスキャニング・モジュールの上面図である。
【符号の説明】
【００２０】
100  筐体
101  長い側壁
102  ねじ穴
200  フック
300  反射ミラー
400  ねじ
1000  スキャニング・モジュール
【図１】
2007097109.tif 000003
【図２】
2007097109.tif 000004
【図３】
2007097109.tif 000005
(57)【要約】【課題】  畑作物の除草をする際、腰に負担がかかり重労働である。人体に負担をかけず、立ち作業が可能にでき、更には牽引可能な動力源に取り付け、動力作業、乗用作業も可能であり、除草作業の省力化を可能にする。【解決手段】  左右台座前部に左右内傾の回転爪と後部に左右外傾の回転爪を設け、作物の成長に伴い左右台座の間隔を調整できる連結金具を構成し、人力、又は動力で牽引する除草機で作物の株元まで除草する事ができる。【選択図】  図１
2007097513.tif 000002
【特許請求の範囲】
【請求項１】
前後に左右一対の放射線状の回転爪を設け、その回転爪の傾斜が前方が内傾、後方が外傾を成し、前方で回転爪の内転により株ぎわの土を掻き寄せ、後方で回転爪の外転により株ぎわの土を掻き上げることで除草をし、除草する対象物の邪魔にならない程度の湾曲した連結装置とその中央部より柄、又は牽引可能な動力源に対しての連結装置を構成し、作物の条を左右の回転爪で挟む形で押す、又は引くことにより株間や株ぎわまで除草可能な除草機。
【発明の詳細な説明】
【技術分野】
【０００１】
本発明は畑作物の苗が成長する過程で成長を阻害する株ぎわの雑草の除草に関するものである。
【背景技術】
【０００２】
人手による腰を曲げての草取り作業は腰に負担がかかり体力的に辛く、効率がよく、腰に負担のかからない除草機が望まれている。
【０００３】
【特許文献１】参考文献なし
【発明の開示】
【発明が解決しようとする課題】
【０００４】
解決しようとする問題点は畑作物を育てる上で一番の障害になる雑草の除草に人体に多大な負担がかかることである。
【課題を解決するための手段】
【０００５】
本発明は前後二箇所、左右一対の回転爪を有し、回転爪が前部は内傾、後部は外傾になっているため、前後進に伴い土と接触することで、前部と後部の回転爪は相反する回転となり、土の反転が良く除草作業の効率を良くした。
【発明の効果】
【０００６】
したがって請求項１記載の発明によれば立ち作業ができ、人体に負担をかけない。更には動力源で牽引させることにより、作業効率を上げることが出来る。
【発明を実施するための最良の形態】
【０００７】
畑作物の成長と同時に発生する雑草を、回転爪で土を効率良くかき混ぜる結果、雑草を根から抜き取る効果と、残った雑草を土で覆い、光合成で抑草する事を目的とする形状を実現した。
【実施例】
【０００８】
本発明の株ぎわ除草機は図1に示されるように左右一対の回転爪を湾曲した金具で連結を成し、前後の回動可能な回転爪を固着した台座の間隔を調整できるようにした。
【０００９】
本発明の株ぎわ除草機は図1に示されるように左右回転爪を連結する連結金具の中央部より後方斜めに棒状の柄を有し、立ち作業が出来るようにした。
【００１０】
本発明の株ぎわ除草機は図２に示されるように左右回転爪を連結する連結金具の中央部より牽引可能な動力源に対しての連結装置を構成し、動力を使用しての作業を実現した。
【図面の簡単な説明】
【００１１】
【図１】株ぎわ除草機の構成を示した外観図である。
【図２】株ぎわ除草機の実施方法を示した説明図である。
【図３】株ぎわ除草機の実施方法を示した説明図である。
【図４】株ぎわ除草機の実施方法を示した説明図である。
【符号の説明】
【００１２】
１    右前回転爪
２    左前回転爪
３    右後回転爪
４    左後回転爪
５    右台座
６    左台座
７    連結金具
８    柄
９    連結装置
【図１】
2007097513.tif 000003
【図２】
2007097513.tif 000004
【図３】
2007097513.tif 000005
【図４】
2007097513.tif 000006
(57)【要約】【課題】  従来の綿菓子は、割り箸状の棒に熱で糸引き状になった砂糖をからめとるだけのものであったがために、砂糖の甘さを楽しむだけの単純な菓子に過ぎず、またこれに用いられていた割り箸状の棒には、小児ののどを傷つける危険性を伴ってもいた。【解決手段】  本発明はこのような従来の構成が有していた問題を解決しようとするものであり、砂糖の甘味だけであった綿菓子の単純性を引き上げるとともに、割り箸状の棒の持つ危険性をもなくすことを目的とするものである。  そして、本発明は上記目的を達成するために、綿菓子１のホルダー２の頭部に、菓子類を固定した上から綿飴を巻き付けることによって、２種類の菓子を楽しむことともなった。  また、割り箸状の棒に過ぎなかったがゆえに危険性を伴っていた綿菓子の柄の頭部に、菓子類を固定保持する構造を持たせることで、危険性を少なくした。【選択図】  図１
2007097555.tif 000002
【特許請求の範囲】
【請求項１】
綿菓子１のホルダー２の頭部に、菓子類を固定した上から綿飴を巻き取ってなる複合綿菓子。
【請求項２】
棒状または厚板状に加工したクッキー、せんべいその他の菓子類をホルダーとして用いた綿菓子。
【請求項３】
粗目状砂糖にシナモン等の香料超微粉末または緑茶、レモン等乾燥果実の超微粉末をまぶすことによって、それら超微粉末成分の特性を付加せしめた綿菓子。
【発明の詳細な説明】
【技術分野】
【０００１】  本発明は綿菓子に関する。
【背景技術】
【０００２】  従来の綿菓子は、割り箸状の棒に熱で糸引き状になった砂糖をからめとるだけのものであったがために、砂糖の甘さを楽しむだけの単純な菓子に過ぎず、またこれに用いられていた割り箸状の棒には、小児ののどを傷つける危険性を伴ってもいた。
【発明の開示】
【発明が解決しようとする課題】
【０００３】  本発明はこのような従来の構成が有していた問題を解決しようとするものであり、砂糖の甘味だけであった綿菓子の単純性を引き上げるとともに、割り箸状の棒の持つ危険性をもなくすことをも目的とするものである。
【課題を解決するための手段】
【０００４】  そして、本発明は上記目的を達成するために、綿菓子１のホルダー２の頭部に、菓子類を固定した上から綿飴を巻き付けることによって、２種類の菓子を楽しめることともなった。【０００５】  また、割り箸状の棒に過ぎなかったがゆえに危険性を伴っていた綿菓子の柄の頭部に、菓子類を固定保持する構造を持たせることで、危険性を少なくした。【０００６】  また、割り箸状木製の棒であった綿菓子の柄に代えて、棒状または厚板状に加工したクッキー、せんべいその他の菓子類をホルダーとして用いることによって、危険性をなくすとともに、ほかの菓子を食べる楽しみを付加した。【０００７】  次いで、綿菓子用の粗目状砂糖にシナモン等の香料超微粉末または緑茶、レモン等乾燥果実の超微粉末をまぶしたことによって、それら超微粉末成分の特性をも加味したことによって、綿菓子の嗜好性を高めることともなった。
【発明の効果】
【０００８】  上述したように本発明の綿菓子は、綿菓子１のホルダー２の頭部に、菓子類を固定した上から綿飴を巻き付けることによって、２種類の菓子を楽しめるものとなった。【０００９】  また、割り箸状の棒のために危険性を伴っていた綿菓子の柄の頭部に、菓子類を固定保持する構造を加えることで、危険性を少なくできた。【００１０】    また、綿菓子の柄を棒状または厚板状に加工したクッキー、せんべいその他の菓子類をホルダーとして用いることによって、危険性をなくすとともに、ほかの菓子を食べる楽しみを増すことができた。【００１１】  次いで、綿菓子用の粗目状砂糖にシナモン等の香料超微粉末または緑茶、レモン等乾燥果実の超微粉末をまぶしたことで、それら超微粉末成分の特性をも加味したことによって、綿菓子の嗜好性をより高めることができた。
【発明を実施するための最良の形態】
【００１２】  以下、本発明の実施の形態を図１〜図５に基づいて説明する。【００１３】  図において、１は綿飴、２はホルダー、３は菓子類の保持部、４は保持された菓子類。【００１４】  ５は成型加工されたホルダーの柄、６は菓子類をはさみ持つ役の挟み板、７は保持された菓子類の受け部、８は菓子類を保持するカエル又部。【００１５】  ９は保持する菓子類の下部を刺して用いるためのホルダーの柄、１０は挿入頭部、１１は受け皿。【００１６】  １２は棒状に加工したクッキー、せんべいその他の菓子類でできた食べられる綿菓子ホルダー、１３は該綿菓子ホルダー、１４は綿飴である。
【図面の簡単な説明】
【００１７】
【図１】  本発明の実施形態を示す縦断面図。
【図２】  本発明の実施形態の一部をなすホルダー図。
【図３】  本発明の実施形態の一部をなすホルダー図。
【図４】  本発明の実施形態の一部をなすホルダー図。
【図５】  本発明の実施形態の１例を示す縦断面図。
【図１】
2007097555.tif 000003
【図２】
2007097555.tif 000004
【図３】
2007097555.tif 000005
【図４】
2007097555.tif 000006
【図５】
2007097555.tif 000007
(57)【要約】      （修正有）【課題】園芸用スコップの形状を加工することにより、地面又はアスファルト及び草の上に落下した犬のフンを掬い取ると同時にビニール袋等へフンを回収するフン回収具を提供する。【解決手段】園芸用スコップに穴加工をし、該開口部に接続部４を設け、該接続部４に水洗トイレに流せる、又は、可燃物として消却出来るフン回収用袋２を装着する。【選択図】  図１
2007097558.tif 000002
【特許請求の範囲】
【請求項１】
園芸用スコップに、開口部（穴加工）を設けた事を特徴とする。
【請求項２】
水洗トイレで流せる。又、可燃物として焼却出来る袋（紙袋・ビニール袋）。
【請求項３】
ホルダーとキャップを作成し、スコップの穴の裏側に接続する事で袋の脱着を安易に出来る特徴をもつ。
【発明の詳細な説明】
【技術分野】
【０００１】この発明は、園芸用スコップの形状を加工する事で、犬のフンが地面又はアスファルト及び草の上に落下したのを掬い取ると同時にビニール袋等へフンを回収する。
【背景技術】
【０００２】犬のフンを、（１）園芸用スコップの加工した開口部より（２）接続部を作成し（３）袋形状の物へ回収する。
【発明の開示】
【発明が解決しようとする課題】
【０００３】  犬を散歩させる時の通常のスタイルは、園芸用スコップとビニール袋を持ち、犬が自然現象でフンをした後にスコップで掬い取りビニール袋へ回収。
又は、フンを回収せず放置してしまう場合も有る又、地面を掘りフンを掬い穴へ埋めて処理する等の状況を解決することを課題とする。
【課題を解決するための手段】
【０００４】以上の課題を解決するための請求項１の発明は園芸用スコップに穴を開けた事を特徴とする回収穴の設置。【０００５】請求項２の発明は、スコップの穴より回収した犬のフンを収納する袋状の物。
水洗トイレで流せる物。又、可燃物ゴミとして処理出来る袋。【０００６】請求項３の発明はジョイントする接続部品の作成により脱着時の煩わしさ＆手の汚れを防げる。
【発明の効果】
【０００７】本発明により、犬のフンを園芸用スコップの穴から袋へ回収する事で不都合なく片付けることが出来る。
袋の脱着の煩わしさ・脱着時の手の汚れをジョイント方式で回避出来る。
犬フン公害の対策と環境保護及び、飼い主のモラル向上に繋がる。
【発明を実施するための最良の形態】
【０００８】図１は、構成部品を組立てた形状の斜視図。【０００９】図２は、園芸用スコップに対して穴を開けた事を特徴とする。
穴をあけたスコップの斜視図である。同図に示すように、円形状の穴を設けた事により、穴を通過して犬のフンが下側へ落下する。【００１０】図３は、落下した犬のフンを回収する為の袋状の物
寸法は、下記記載のスリーブ径を参考に算出（２πｒ）とＬ寸法加工。
外側は、文字・絵等書込み出来中身が見えない様不透明にする。【００１１】図４は、スコップと袋状の物をジョイントさせる接続部品。
スリーブ・キャップの２部品により、袋の交換をスムーズに行なう。
又、交換時に手が汚れない様にする構成部品。【００１２】スコップの材質は、通常の鉄製・ステンレス製・プラスチック製
袋状材質は、燃焼可能なビニール・水洗トイレにて流せるペーパー類。
スリーブ・キャップの材質は、プラスチック系【００１３】本発明に係るスコップは、工業用に量産する事が可能であるため、産業上の利用可能性を有する。
【図面の簡単な説明】
【００１４】
【図２】    園芸用スコップの掘る面の一部に穴を開けた斜視図。
【図３】    スコップ形状の穴より落下した犬フンを回収する袋。
【図４】    スコップと袋状の物をジョイントさせる接続部品。
【符号の説明】
【００１５】    １    園芸用スコップの掘る面に開口部（穴）を設ける。
２    袋状の寸法（外径  ２πｒ）×Ｌ寸法。
３    接続部品  スリーブ
４    接続部品  キャップ
【図１】
2007097558.tif 000003
【図２】
2007097558.tif 000004
【図３】
2007097558.tif 000005
【図４】
2007097558.tif 000006
【手続補正書】
【提出日】平成17年11月30日(2005.11.30)
【手続補正１】
【補正対象書類名】明細書
【補正対象項目名】００１４
【補正方法】変更
【補正の内容】
【００１４】
【図１】構成部品を組立てた斜視図であり、ＮＯ１の穴を開けた園芸用スコップ形状の物に対し、ＮＯ３の物をスコップ形状の穴と合わせ組付け固定。ＮＯ２の袋状の物をＮＯ３の突起部ネジ加工部分に組付け。ＮＯ４のキャップを袋状の上から締付けて固定。これにより、犬のフンを直接落下時に、スコップ形状の穴にて回収。又、地面に落下したフンをスコップ形状の先端より掬い取り、穴から回収。
【図２】園芸用スコップ形状の物に対して掘る面の一部に穴を開けた斜視図。
【図３】園芸用スコップ形状の穴より落下又は、掬い取った犬フンを回収する袋状の物。
【図４】園芸用スコップ形状の物と、袋状の物をジョイントさせる接続部品。ＮＯ３は、突起部にネジ加工  ＮＯ４は、内側にネジ加工してあり締付ける事で、締結出来る。
(57)【要約】【課題】釣り針の結び目を強固に掛ける箇所を設けて、釣り糸に負荷がかかった時に結び目が切れる、外れるということがなく、また結び目事態も衝撃緩和するようにする。【解決手段】釣針１に釣糸に撚り６を入れて固定する台座４を設けた。また前記台座４を釣り針基端のチモト部２近傍に設けた長手方向に伸びる横または縦方向の偏平な台座とした。さらに前記チモト部２と台座４間の結束部３に釣糸の輪５の基部を巻き付け結び、この輪５に台座４の長さほどの撚り６を入れ、この撚り６を台座４、またはその背面側に密着させて固定するようにした。【選択図】図１
2007097535.tif 000002
【特許請求の範囲】
【請求項１】
釣針（１）に釣糸に撚り（６）を入れて固定する台座（４）を設けた釣糸の結束部付き釣り針。
【請求項２】
前記台座（４）を釣り針基端のチモト部（２）近傍に設けた長手方向に伸びる横または縦方向の偏平な台座とした請求項１記載の釣糸の結束部付き釣り針。
【請求項３】
前記チモト部（２）と台座（４）間の結束部（３）に釣糸の輪（５）の基部を巻き付け結び止めし、この輪（５）に台座（４）の長さほどの撚り（６）を入れ、この撚り（６）を台座（４）、またはその背面側に密着させて固定するようにした請求項１、２記載の釣糸の結束部付き釣り針。
【発明の詳細な説明】
【技術分野】
【０００１】
本発明は釣り針から容易に釣り糸が外れず、切れ難くした釣り針に関する。
【背景技術】
【０００２】
通常の釣り針は、釣り針の基端部分をつぶして幅広な扁平となし、結んだ釣り糸が外れないようにチモト部を設けてある。然しながらナイロンなど化学繊維からなる釣糸は、滑りやすく、また比較的腰が強いため結び目が大きくなりチモト部から抜け落ちてしまうという問題があった。
【０００３】
かかる抜け落ちを防止するために特許文献１のような釣り針にハリスを結ぶための扁平部を設けたもの、または特許文献２のようにチモト部を大きくして抜け止めを図ったものなどが提案されている。
【特許文献１】特開２００２−１５９２４６号
【特許文献２】特開１１−２０６２７１号
【発明の開示】
【発明が解決しようとする課題】
【０００４】
本発明は釣り針の結び目を強固に掛ける箇所を設けて釣り糸に負荷がかかったときに結び目が切れる、外れるということがなく、また結び目自体も衝撃緩和するように工夫して引っ張り強度を高め、細い釣り糸でも大きな魚に対応できるようにすることを目的とする。
【課題を解決するための手段】
【０００５】
上記目的を達成するために、本発明の釣糸の結束部付き釣り針は、請求項1記載のように、釣針１に釣糸に撚り６を入れて固定する台座４を設けた。また請求項２記載のように、前記台座４を釣り針基端のチモト部２近傍に設けた長手方向に伸びる横または縦方向の偏平な台座とした。
【０００６】
さらに請求項３記載のように、前記チモト部２と台座４間の結束部３に釣糸の輪５の基部を巻き付け結び止めし、この輪５に台座４の長さほどの撚り６を入れ、この撚り６を台座４、またはその背面側に密着させて固定するようにしたこと等を特徴としている。
【発明の効果】
【０００７】
本発明は以上説明したように構成されているので、結束部である台座４に結び目を強固に掛け結びするので抜けて脱落することがない。また輪５の撚り部分６を台座４に密着させるようにしたので強い引きがあったときに、撚り部分６が衝撃を緩和するように作用し、釣り糸が容易に切れない。従って細いハリスを使用できるので今まで以上の釣果が期待できる等の効果がある。
【発明を実施するための最良の形態】
【０００８】
本発明の最良の実施形態は、釣針１に釣糸に撚り６を入れて固定する台座４を設けた。また請求項２記載のように、前記台座４を釣り針基端のチモト部２近傍に設けた横または縦方向に伸びる偏平な台座とした。
【実施例１】
【０００９】
以下本発明の好適なひとつの実施例を図面に基づき説明する。図１は本発明の第１実施例の釣り針であって、この釣り針１の基端をつぶして扁平で幅広なチモト部２を形成し、その先に連続して釣り糸を巻きつける結束部３と釣り針軸の一部を盛り上げて長手方向に伸びる扁平な台座４とを設けたものである。
【００１０】
そしてこの釣り針に釣り糸を結ぶ場合には、図２のように釣り糸でまず輪５を作り、輪５の基部を押さえながら釣り糸の先を結束部３に２〜３回巻き付けて結ぶ。次いで図３のように輪５に台座４の長さほど撚り６を入れ、その輪５を針先にくぐらせ、そして図４のように釣り糸のハリス７を引き込んで輪５を絞り込み、撚り６を台座４、またはその背面に密着させ、輪５の先を台座４の手前側の段差８に掛けてハリス７を締め付けて固定する。
【００１１】
この際、最も重要なのは台座４の長さに合致させて撚り６の巻数を設定することである。撚りを入れすぎて撚り６の長さが台座４の長さより長くなると、撚り６の部分が膨らんで台座４、またはその背面に密着せずに負荷が掛かった時に簡単に切れてしまう。また撚りの部分が台座４、またはその背面に密着していても撚りの入れ方が足りないと負荷が掛かったときに簡単に切れてしまう。
【実施例２】
【００１２】
図５〜図７は第２実施例のものを示し、第１実施例と異なるのは長手方向に伸びる台座４の形状を縦方向に偏平に突出させてより強固に撚り６部分が台座６に密着するようにしたものである。
【図面の簡単な説明】
【００１３】
【図１】第１実施例釣り針の要部拡大図である。
【図２】釣り針に釣り糸の輪を結ぶ状態説明図である。
【図３】撚りを入れた輪を釣り針にくぐらせる状態説明図である。
【図４】輪を絞込み撚りを台座に密着させた状態説明図である。
【図５】第２実施例の釣り針要部拡大図である。
【図６】撚りを入れた輪を釣り針にくぐらせる説明図である。
【図７】輪を絞込み撚りを台座に密着させた状態説明図である。
【符号の説明】
【００１４】
１  釣り針
２  チモト部
３  結束部
４  台座
５  釣り糸の輪
６  撚り
７  ハリス
８  段差
【図１】
2007097535.tif 000003
【図２】
2007097535.tif 000004
【図３】
2007097535.tif 000005
【図４】
2007097535.tif 000006
【図５】
2007097535.tif 000007
【図６】
2007097535.tif 000008
【図７】
2007097535.tif 000009
(57)【要約】      （修正有）【課題】野菜、植物のつるを、竹等の枝などや園芸棒に、巻きつかせる作業の、手間、時間、労力を軽くすることができる、つる性野菜巻きつけ補助具を提供する。【解決手段】つる性野菜、植物を園芸棒に巻きつきやすくするための補助具であって、全体は園芸棒との接点での滑り防止のために、下部に滑り止めゴムが設けられた筒（１）と、この筒（１）を、覆うように一体に形成される枝止めカバー（３）と、この枝止めカバー（３）前部に懸架された回転補助棒（４）に係止される巻きつけ枝棒（５）と、から成り、前記巻きつけ枝棒（５）は、放射状に３本に枝分かれしていることを特徴とする、つる性野菜巻きつけ補助具である。【選択図】図２
2007097567.tif 000002
【特許請求の範囲】
【請求項１】
つる性野菜、植物を既存の園芸棒に巻きつきやすくするための補助具であって、全体は、下部に滑り止めゴム（２）が設けられた筒（１）と、この筒（１）を覆うように一体に形成される枝止めカバー（３）と、この枝止めカバー（３）前部に懸架された回転補助棒（４）に係止される巻きつけ枝棒（５）と、から成り、前記巻きつけ枝棒（５）は、放射線状に３本に枝分かれしていることを特徴とする、つる性野菜巻きつけ補助具。
【発明の詳細な説明】
【技術分野】
【０００１】  この発明は、畑で胡瓜、豆類、ゴーヤなど、つるのある作物を、巻きつかせるための巻きつけ補助具に関するものである。
【背景技術】
【０００２】  従来、巻きつけ用の枝材とするため、山に竹を取りに行くか、園芸棒のカラー鋼管（品名シンネブシ）などを組み合わせて紐で結び、固定してつるが巻くようにしていたのである。
【発明の開示】
【発明が解決しようする課題】
【０００３】これは次のような欠点があった。
つるが巻くようにするには、竹を取りに行くか、他の園芸棒を紐で結び固定するのに時間、手間、労力がかかり季節が終われば、解体するのにも時間、手間、労力がかかり炎天下で作業するのも大変であった。
本発明は、以上のような欠点をなくすためになされたものである。
【課題を解決するための手段】
【０００４】  つる性野菜、植物を、既存の園芸棒に巻きつきやすくするための補助具であって、全体は、園芸棒との接点で、下部に滑り止めゴム（２）が設けられた筒（１）と、この筒（１）を覆うように一体に形成される枝止めカバー（３）と、この枝止めカバー（３）前部に懸架された回転補助棒（４）に係止される巻きつけ枝棒（５）と、から成り、巻きつけ枝棒（５）は、放射状に３本に枝分かれしていることを特徴とする、つる性野菜巻きつけ補助具。
本発明は、以上の構成によりなる。
【発明の効果】
【０００５】  本発明品を、既存の園芸棒（品名シンネブシ）に取り付けておくと、使用時にそのままで巻きつけ枝棒が開き、非使用時には逆さに立てることにより、巻きつけ枝棒が閉じて、場所を取らず保管に便利である。
【発明を実施するための最良の形態】
【０００６】  以下、本発明を実施するための最良の形態について説明する。
園芸棒に挿通可能な径の開口をもつ筒（１）の下部に、園芸棒の任意の位置で停止させるために滑り止めゴム（２）を設け、別にこの筒（１）を覆うように一体に形成される枝止めカバー（３）形成し、さらに、この枝止めカバー（３）前部に懸架された回転補助棒（４）に係止される巻きつけ枝棒（５）とを形成する。この巻きつけ枝棒（５）は、放射状に３本に枝分かれしていることを特徴とする。
（イ）前記滑り止めゴム（２）は、この一端に切れ込みが設けられ、筒（１）への脱着が容易となるように形成されている。滑り止めゴム（２）の切れ込みは、園芸棒（品名シンネブシ）と筒（１）の間に水が流れるためである。同様に、枝止めカバー（３）も、筒（１）との間に形成される空間を通って水が上から下へ流れるように上下開口として形成する。
（ロ）園芸棒（品名シンネブシ）を保護するために、本発明のつる性野菜巻きつけ補助具を、既存の園芸棒（品名シンネブシ）に挿し通し装着する。
これは、巻きつけ枝棒（５）の環状部分の先端部と園芸棒（品名シンネブシ）との摩擦による錆の発生を回避する。
本発明は以上のような構成で、本発明のつる性野菜巻きつけ補助具を、既存の園芸棒（品名シンネブシ）に、巻きつけ枝棒（５）が、左右交互に向くように挿し通し、そのまま園芸棒全体を土に挿すことにより、使用時は、回転補助棒（４）と、巻きつけ枝棒（５）の環状部分との間に回転可能な遊びがあるため開き、巻きつけ枝棒（５）の放射線状に伸びた３本の先が上方向へ開き、上方向へ開いた巻きつけ枝（５）は、次にそれ自身の重みや巻いた植物の重みによって下がろうとするが、枝止めカバー（３）の上縁凹部に接することで、巻きつけ枝棒（５）は、一定の上向き状態をのまま係止されることとなる。非使用時は、回転補助棒（４）と、巻きつけ枝棒（５）の環状部分との間に、回転可能な遊びがあるために、園芸棒を逆さに立てることで巻きつけ枝棒（５）が園芸棒にそって閉じたような形となる（図４参照）。
今までかかっていた時間、手間、労力がかからず、場所も取らずに保管に便利である。本発明は、このような構造で園芸棒に通し、土に挿すだけで使用できる。
【図面の簡単な説明】
【０００７】
【図１】  本発明の分解斜視図
【図２】  本発明の実施例を示す斜視図
【図３】  本発明の使用状態示す斜視図
【図４】  本発明の非使用状態を示す斜視図
【符号の説明】
【０００８】１    筒
２    滑り止めゴム
３    枝止めカバー
４    回転補助棒
５    巻きつけ枝棒
【図１】
2007097567.tif 000003
【図２】
2007097567.tif 000004
【図３】
2007097567.tif 000005
【図４】
2007097567.tif 000006
(57)【要約】      （修正有）【課題】粘着剤を塗布した網を利用して、家畜小屋や牧場など、蠅、蚊が多く発生する場所に設置したり、団扇状にして手で動かしたりすることで飛んでいる蠅や蚊を捕捉する方法を提供すること。【解決手段】網等の空間のある基材に、粘着剤を網目を塞がないように塗布し、その網を蠅や蚊が生息する家の周囲、家畜小屋、犬小屋など、或いは直接人や家畜の近くに置くことで粘着剤に虫を貼り付けて捕捉する。また、網を団扇状にして、飛んでいる蠅や蚊に向かって動かすことにより、空気は網と網の間の空間を抜けていくので、虫だけを貼り付けて捕捉することもできる。【選択図】なし【特許請求の範囲】
【請求項１】
空間のある基材に粘着剤を空間を付けて塗布、蠅、蚊を捕獲する方法。
【発明の詳細な説明】
【技術分野】
【０００１】粘着剤による昆虫捕獲方法
【背景技術】
【０００２】粘着剤、空間、臭気、を利用する捕獲方法
【発明の開示】
【発明が解決しようとする課題】
【０００３】粘着剤、空間、臭気、を利用して蠅，蚊を捕獲する方法
【課題を解決するための手段】
【０００４】空間のある基材に粘着剤を空間を付けて塗布し、蠅、蚊を捕獲する方法
【発明の効果】
【０００５】蠅、蚊を捕獲し環境浄化に役立つ
【発明を実施するための最良の形態】
【０００６】空間のある基材に粘着剤を空間を付けて塗布し、蠅、蚊が生息する場所に置く。または網を動かす。
【実施例】
【０００７】粘着剤の付いた網を、蠅、蚊が生息する、家の周囲家畜小屋、犬小屋などに置く。また、人、家畜の近くに置く。また、網を団扇状にして飛んでいる蠅、蚊に向かって網を動かす事により、空気は網と網の空間を抜けて蠅、蚊を捕捉できる。
【産業上の利用可能性】
【０００８】家畜業、牧場など、蠅、蚊が多く発生する場所に設置する事により利用出来る。
(57)【要約】【課題】  釣り糸に装着し、手軽に魚を寄せる効果のある、魚釣り用固形状の撒き餌を提供する。【解決手段】  集魚材を固形化した、水に溶けやすく、簡単に釣り糸に装着できる、魚を寄せるための魚釣り用固形状の撒き餌。【選択図】  図１
2007097568.tif 000002
【特許請求の範囲】
【請求項１】
固形状の撒き餌（１）に装着用リング（２）を設けた、魚釣り用固形状の撒き餌。
【発明の詳細な説明】
【技術分野】
【０００１】  本発明は、固形状の撒き餌に装着用リングを設け、魚釣り時に、魚を寄せるための、魚釣り用固形状の撒き餌に関するものである。
【背景技術】
【０００２】  従来、魚釣り時に魚を寄せる撒き餌は、釣り場にて冷凍したオキアミ等を解凍しコマセ籠に入れるか、穀類や、さなぎ、オキアミ等の粉末を水と混ぜ、柄杓で撒いていた。
（特許文献１）
【特許文献１】
【発明の開示】
【発明が解決しようとする課題】
【０００３】  そのために次のような問題点があった。
（イ）冷凍したオキアミ等を解凍し、コマセ籠に入れたり、穀類、さなぎ、オキアミ等の粉末を水と混ぜ、柄杓で撒く等、繁雑で不衛生な作業を伴うので、釣竿やリールの操作性が悪かった。
（ロ）生の撒き餌は、釣りが終了した後、余ったものを保存することが煩わしいので、釣り場に投棄する者も居り環境汚染になっていた。
【課題を解決するための手段】
【０００４】  固形状の撒き餌（１）に装着用リング（２）を設けた。以上を特徴とする魚釣り用固形状の撒き餌である。
【発明の効果】
【０００５】  本発明は、魚釣り時に、魚を寄せる為の魚釣り用固形状の撒き餌であり、装着や操作が簡単で、腐敗しにくいので衛生的、余った分は持ち帰り再使用できるので、環境に良く経済的である。
【発明を実施するための最良の形態】
【０００６】  以下、本発明の実施の形態を説明する。
水に溶けやすい固形状の撒き餌（１）に、装着リング（２）を設ける。
本発明は、以上の構成よりなっている。
本発明を使用するときは、上記の固形状の撒き餌を釣り糸に装着し、他の仕掛けと共に水中に投入する。固形状の撒き餌は、徐々に水に溶け魚を寄せる。寄せた魚は仕掛けに付けた餌に食い付き、釣り人は、竿とリールの操作により魚を釣る。
なお、固形状の撒き餌（１）は水に溶けてしまうので、残った装着リング（２）を仕掛けから外し、新しい魚釣り用固形状の撒き餌に付け替え、何度でも釣りができる。
他の、実施例として形状を
【図３】
と
【図４】
に記載。
【図面の簡単な説明】
【０００７】
【図１】  本発明の斜視図
【図２】  本発明の使用状態を示した斜視図
【図３】  他の実施例の斜視図
【図４】  他の実施例の斜視図
【符号の説明】
【０００８】    １固形状の撒き餌
２装着用リング
【図１】
2007097568.tif 000003
【図２】
2007097568.tif 000004
【図３】
2007097568.tif 000005
【図４】
2007097568.tif 000006
(57)【要約】      （修正有）【課題】農作物や樹木に害を与える鳥獣は、人間が追い払うには限界がある。それを容易にする為に、鳥獣には直接的に打撃を与えず、離れた所から花火等の音や火薬の臭いなどで驚かせ、撃退する装置を提供する。【解決手段】一本の円筒状の本体筒１の先端１０が発射口であって挿入口も兼ね、途中開口部２を導火線等の点火口とし、いちばん手元部分９が握り手となったロケット花火等の発射装置である。    （１）弾込めには、本体筒１を前上がりに保ち、挿入口１０から花火を入れる。    （２）点火は、本体筒１を平行に保ち、スライド筒６を上部方向に移し、開口部２を開けて長いライター等で導火線８に点火する。    （３）発砲は、導火線８に点火後、すばやく発射口１０を上げて狙いをつける。同時にスライド筒６は、自然に下方へ落ちて開口部２が覆われるので有害鳥獣（猿や烏等）に向け４５度の角度で発射する。【選択図】図１
2007097564.tif 000002
【特許請求の範囲】
【請求項１】
どこでも持ち運びが出来る硬質の円筒形状のものを砲身として手動でロケット花火等を目標物にむけ発射し、農作物や樹木に害を与える有害鳥獣を追い払う手軽で安全な玩具。
【請求項２】
前記駆除玩具は硬質の円筒状のもので、ロケット花火等の発射に対応出来るものであれば材質は限定しない。
構造としては、一本の円筒の先端が発射口、途中開口部が点火口、手元が握り手部分、全体が砲身を兼ねている。
【請求項３】
点火用の開口部には発射時の爆風を防ぐスライド式の円筒が覆われる様になっている。このスライド式の円筒は発射時に先端を上げる事により自然に蓋をする様になっている。
又、握り手部の上部には爆風を防ぐとともに、ロケット花火等の落下を防ぐ栓がしてある。
【請求項４】
砲身の内部は、花火等の導火線が必ず開口部にくるようロケット花火等の軸受けがついている。
【発明の詳細な説明】
【技術分野】
【０００１】  本発明は、どこへでも持ち運びが便利で、有害鳥獣に対して離れた所からでも簡易に撃退出来る安全な玩具である。
【背景技術】
【０００２】  従来の有害鳥獣撃退方法は割合大きな仕掛けで、しかも固定されていたりしていて、構造上の欠点をついて素早く移動したり飛んだりする動物にはほとんど無力に等しいものであった。
【発明の開示】
【発明が解決しようとする課題】
【０００３】  どこにでも持ち運びが出来て、目の前で農作物が樹木等々の被害を受けている事態に瞬時に対応が出来、しかも手軽に扱えて安全で安価な道具を作って対応することにした。
【課題を解決するための手段】
【０００４】  硬質の円筒形状のものを砲身として、先端を挿入兼発射口、一本の途中開口部を点火口とし、一番手元を握り部分としたロケット花火等の発射装置である。【０００５】  途中開口部には、点火後の爆発の危険を防ぐ一回り大きいスライド筒が覆う仕掛けがあり、安全に操作出来る様になっている。スライド筒の上下には、本体から脱落しない様バンド等で止める様になっている。本体の握り手部分に近い所には、ロケット花火等の脱落防止と暴風を防ぐための栓がある。この栓の位置を変えることにより、ロケット等の大きさに対応出来る様になっている。
【発明の効果】
【０００６】  持ち運びが便利で、誰でもどこにいても瞬時に対応出来、しかも安全な有害鳥獣の駆除玩具で、ある程度離れた（約４０ｍ〜５０ｍ）対象に対しても充分対応出来るものである。その上、鳥獣に直接被弾させるのではなくその音や硝煙の臭い等で撃退するので、環境にも影響はない。
【発明を実施するための最良の形態】
【０００７】  以下、本発明の実施の形態を図面に基づき詳細に説明する。【０００８】  図１〜図２−２は本発明の第一の実施の形態に係り、図１はその概観及び透視図、図２−１及び図２−２は点火時から発射時の図である。図２−２で発射口を上部に向けることにより、スライド筒が自然に下方に落ち開口部が覆われ爆風を防ぐ、また本体のロケット花火等の軸受けが上にくる様にすれば、必然的に導火線が点火口に出るようになっている。
【産業上の利用可能性】
【０００９】  本発明は、日本全国で有害鳥獣の駆除に困っている農家など一次産業に携わる人々や、都会のゴミをあさるカラス退治等に有効な成果を挙げられると確信する。
【図面の簡単な説明】
【００１０】
【図１】  本発明の実施の形態に係る有害鳥獣駆除玩具の外観及び透視図である。
【図２−１】  図１の有害駆除玩具の使用手順の点火時の図である。
【図２−２】  図１の有害駆除玩具の発射時の図である。
【符号の説明】
【００１１】  １  本体筒（鉄、ステンレス、塩ビ等硬質材のパイプ）
２  開口部（点火口）
３  軸受け（ロケット花火等の）
４  栓（爆風止め）
５  バンド（スライド筒止め）
６  スライド筒（本体と同様質のもの）
７  弾（ロケット花火等）
８  導火線（ロケット花火等）
９  握り部分
１０  弾の挿入口及び発射口
【有害駆除手順】
【００１２】  １  周囲の状況を充分に把握し、有害駆除を行なう。
２  弾込めは、図２−２の状態に保ち、図１の▲１０▼から弾を入れる
３  点火は、図２−１の状態のように筒を平行に保ち、スライド筒を上部方向に移し、開口部を開け長いライター等で開口から導火線に点火する。
４  発砲は導火線に点火後、すばやく図２−２の状態のように発射口▲１０▼を上げる。同時にスライド筒は自然に下方へ落ちて、開口部が覆われる。そして有害鳥獣（猿や鳥等）に向け４５°の角度で発砲する。
【図１】
2007097564.tif 000003
【手続補正書】
【提出日】平成17年12月7日(2005.12.7)
【手続補正１】
【補正対象書類名】図面
【補正対象項目名】全図
【補正方法】変更
【補正の内容】
【図１】
2007097564.tif 000004
【図２−１】
2007097564.tif 000005
【図２−２】
2007097564.tif 000006
(57)【要約】【課題】サラダにドレッシング液をかけて食べるとき、どの部分のサラダの野菜も同じようにドレッシングの味を楽しみながら食べられ、さらにドレッシング液を無駄なく使い切れるように、サラダ容器に開口部を設け、そのサラダ容器の下に受け皿を設けたサラダ皿を提供する。【解決手段】サラダ容器をのせることができる受け皿（４）を設け、その受け皿（４）の上にサラダ容器（１）を設け、そのサラダ容器（１）の側面下部にドレッシング液が下の受け皿（４）に流れ出せる開口部（３）を設けたことを特徴とするサラダ皿。【選択図】  図１
2007097845.tif 000002
【特許請求の範囲】
【請求項１】
受け皿の上にサラダ容器を設け、そのサラダ容器の側面下部に開口部を設けたことを特徴とするサラダ皿。
【請求項２】
受け皿とサラダ容器を一体にしたことを特徴とする請求項１に記載のサラダ皿。
【請求項３】
底部に傾斜をもたせたことを特徴とする請求項１又は２に記載のサラダ皿。
【発明の詳細な説明】
【技術分野】
【０００１】
本発明は、受け皿の上に、側面下部に開口部を有するサラダ容器をのせ、サラダ容器のサラダにかけたドレッシング液を無駄なく使い切ることができるサラダ皿に関するものである。
【背景技術】
【０００２】
従来のサラダ皿は、サラダを盛った容器に上からドレッシング液をかけて食するという単一の容器からなるサラダ皿を使用していた。
【発明の開示】
【発明が解決しようとする課題】
【０００３】
したがって、従来のサラダ皿ではドレッシング液を適量かけるということが難しく、ドレッシング液をかけすぎた場合、サラダを通りぬけてサラダ容器の内底部にたくさんのドレッシング液が溜まってしまうが、サラダ容器にはサラダがたくさん盛ってあるために、食べはじめの時にはサラダの上部の野菜はドレッシング液が下に通りぬけているために味が薄いまま食べ、サラダの食べ終わりの時には底に近い野菜はサラダ容器の内底部にたくさん溜まっているドレッシング液につかっているために味が濃すぎる上に、たくさんのドレッシング液をそのまま残してしまうという欠点があった。
本発明は、これらの欠点を解決するためになされたものである。
【課題を解決するための手段】
【０００４】
いまその解決手段を説明すると、サラダ容器をのせることができる受け皿を設け、その受け皿の上にサラダ容器を設け、そのサラダ容器の側面下部にドレッシング液が下の受け皿に流れ出せる開口部を設けたことを特徴とするサラダ皿である。
【発明の効果】
【０００５】
このようなサラダ皿にすることにより、サラダ容器の内底部にたくさんたまっていたドレッシング液はサラダ容器の側面下部にある開口部から下の受け皿に流れ出して溜まり、サラダ容器に盛ってあるサラダ上部の野菜を受け皿に溜まったドレッシング液につけながら食べることができるので、サラダの上部の野菜も底に近い野菜も同じような濃さでドレッシングの味を楽しみながら食べることができ、さらにドレッシング液をサラダ容器の内底部にたくさん残してしまうという無駄がなくなる。
【発明を実施するための最良の形態】
【０００６】
以下、本発明の実施の形態について説明する。
（イ）サラダ容器をのせることができる受け皿（４）を設ける。
（ロ）その受け皿（４）の上にサラダを盛るためのサラダ容器（１）を設ける。
（ハ）そのサラダ容器（１）の側面下部に、受け皿（４）にドレッシング液が流れ出しやすいように開口部（３）を設ける。
本発明は以上のような構成である。
【０００７】
これを使用するときは、サラダを盛ったサラダ容器（１）にドレッシング液をかけると、サラダを通りぬけてサラダ容器（１）の内底部（２）に溜まったドレッシング液はサラダ容器（１）の側面下部にある開口部（３）を通りぬけて、サラダ容器（１）の下にある受け皿（４）の上に溜まる。
【０００８】
よって、サラダを食べるときには、サラダ容器（１）に盛った上部のサラダを受け皿（４）に溜まっているドレッシング液につけながら食べることで、ドレッシングの味を楽しみながら食べることができ、さらに今まではサラダ容器の内底にたくさん溜まったままで無駄にしていたドレッシング液を受け皿（４）に溜めて使用できるために無駄なく使い切ることができるようになる。
【０００９】
（応用例１）請求項２の発明において、図４に示すように、サラダ容器部と受け皿部を一体成形することで、サラダ容器と受け皿の二つの形をとらなくても、同様の効果を出すこともできる。
【００１０】
（応用例２）請求項３の発明において、図５、６に示すように、サラダ皿に傾斜をもたせることにより、サラダ容器（１）の内底部（２）に溜まったドレッシング液がサラダ容器（１）の開口部（３）を通りぬけて、受け皿（４）の上に、より確実に溜まりやすくすることができる。
【図面の簡単な説明】
【００１１】
【図１】本発明の斜視図
【図２】本発明を平面図
【図３】本発明のＡ―Ａ断面図
【図４】請求項２の断面図
【図５】請求項３の断面図ａ
【図６】請求項３の断面図ｂ
【符号の説明】
【００１２】
１  サラダ容器
２  サラダ容器の内底部
３  サラダ容器の開口部
４  受け皿
５  サラダ皿の底部
【図１】
2007097845.tif 000003
【図２】
2007097845.tif 000004
【図３】
2007097845.tif 000005
【図４】
2007097845.tif 000006
【図５】
2007097845.tif 000007
【図６】
2007097845.tif 000008
(57)【要約】      （修正有）【課題】何の労力も必要とせず足を乗せる台の勾配のみで指間を広げることができる彎曲下駄を提供する。【解決手段】足を乗せる台を半円柱形にすることにより、中央部分から緩やかなカーブで側縁方向に傾斜しており無理なく安全により効果的に実施することができる外反母趾対策用の矯正履物である。歩くことも可能であるが、立ったままでも体重を前後に移動させるだけで効果が期待できる。【選択図】  図３
2007097846.tif 000002
【特許請求の範囲】
【請求項１】
半円柱形の台に鼻緒をつけたことを特徴とする外反母趾矯正用下駄。
【請求項２】
前記下駄の台は勾配を利用して外反母趾を矯正することを特徴とする請求項1記載の彎曲下駄。
【発明の詳細な説明】
【技術分野】
【０００１】
本発明は、外反母趾の矯正用に用いる下駄の形状に関する。
【背景技術】
【０００２】
従来の外反母趾矯正には、指間に異物を挟む方法が一般的であったが、足を乗せる台を半円柱形に彎曲させることにより勾配効果で自然治癒力を引き出すものである。
【０００３】
しかしながら、以上の治療法には指と指の間に異物を挟み、指間を押し広げるという方法が一般的である。そこで、この発明は足乗台を彎曲させて傾斜を利用して無理なく安全に外反母趾を矯正する下駄を提供することを課題とする。
【特許文献１】特開2004-215870号
【非特許文献１】内田俊彦著  「足の親指の曲がり外反母趾は自分で治せる」マキノ出版 2003年
【発明の開示】
【発明が解決しようとする課題】
【０００４】
解決しようとする問題点は、指間に異物を挟むという治療法には無理があった。そこで、この発明は、何の労力も必要とせず足を乗せる台の勾配のみで指間を広げることができる彎曲下駄を提供することを課題とする。
【課題を解決するための手段】
【０００５】
以上の課題を解決するために、第一発明は、足乗台を彎曲させたことを特徴とする下駄である
また、第二発明は、台部分の底部を前後にカットすることにより、歩かなくても体重を前後に移動させるだけで効果があることを特徴とする彎曲下駄である。
【発明の効果】
【０００６】
第一発明、又は第二発明によれば足乗台を彎曲させたので、自然に足指間が広がる
【発明を実施するための最良の形態】
【０００７】
この発明の一実施形態を図1、図2、図3に示す。
彎曲下駄の台２は合成樹脂製、木製又は竹製でも制作可能である。台の中心部から側縁方向に傾斜しているため、足指に力を加えることなく自然に指間が広がるよう形成されていることを特徴とする。
底部３は前後を少しカットすることにより歩きやすくなり、また歩かなくても体重を前後に移動するだけで外反母趾の予防に役立つ効果が増す。
【実施例】
【０００８】
図1は、本発明装置の鼻緒1の位置を変えることにより、各指に加わる力が異なりその結果、効果も異なる。
【図面の簡単な説明】
【０００９】
【図１】彎曲下駄の平面図である。
【図２】彎曲下駄の側面図である。
【図３】彎曲下駄の前面図である。
【符号の説明】
【００１０】
１  鼻緒
２  彎曲下駄の台
３  底部
【図１】
2007097846.tif 000003
【図２】
2007097846.tif 000004
【図３】
2007097846.tif 000005